(57)【要約】【課題】断線および故障を自己診断できる監視コントローラ、および故障自己診断方法を提供する。【解決手段】センササーバ１０、接点ユニット１１、および認証キーソケット１２はそれぞれ電力供給および信号送信が可能な１−ＷＩＲＥ２０１、および２０８にて接続されている。ドアセンサ１３、１４、１６、および１７が設置された設備は監視され、各センサからの信号は接点ユニット１１を介しセンササーバ１０に送信され、異常ログは内部の記憶装置に記録されて、ＬＡＮケーブル２０９を介して外部ネットワーク上の機器に情報送信が可能である。監視の実行、および解除は認証キーソケット１２に図示しない専用の認証キーを用いて照合することで変更可能である。【選択図】図１
2007286786.tif 000002
【特許請求の範囲】
【請求項１】
監視状態に関する認証をする認証部と、
前記認証部の応答を確認するためのコマンドを送信するコマンド送信部と、前記応答に基づいて外部へメッセージを送信する送信部とを含むセンササーバとを有することを特徴とする監視コントローラ。
【請求項２】
監視状態に関する認証をする認証部と、
前記認証部の応答を確認するためのコマンドを送信するコマンド送信部と、前記応答が異常である場合に外部へメッセージを送信する送信部とを含むセンササーバとを有することを特徴とする監視コントローラ。
【請求項３】
同一対象に設置された複数のセンサと、
前記複数のセンサから送信される信号を受信して状態を表示するＩ／Ｏ部と、
前記Ｉ／Ｏ部より前記複数のセンサの状態を受信し、前記複数のセンサの状態同士の相違に基づいて外部へメッセージを送信する送信部とを含むセンササーバとを有することを特徴とする監視コントローラ。
【請求項４】
前記センサは、無線のセンサと有線のセンサとを組み合わせて使用することを特徴とする請求項３に記載の監視コントローラ。
【請求項５】
センササーバが認証部にコマンドを送信する第１の工程と、
前記コマンドに対する応答がない場合、予め定められた回数再試行する第２の工程と、
前記再試行後に応答がない場合、外部へメッセージを送信する第３の工程とを有することを特徴とする故障自己診断方法。
【請求項６】
Ｉ／Ｏ部が、同一対象に設置された複数のセンサから信号を受信する第１の工程と、
前記Ｉ／Ｏ部が、前記信号より前記複数のセンサの状態を把握する第２の工程と、
センササーバが、前記Ｉ／Ｏ部から信号を受信し、前記複数のセンサの状態間の相違を判断する第３の工程と、
前記センササーバが、前記相違に基づいて外部にメッセージを送信する第４の工程とを有することを特徴とする故障自己診断方法。
【発明の詳細な説明】
【技術分野】
【０００１】
本発明は、センサにより温度、湿度、音声および接点動作を監視する監視コントローラに関し、特に各部の故障自己診断が可能な監視コントローラ、および故障自己診断方法に関する。
【背景技術】
【０００２】
従来の技術として、複数のセンサを統括して管理し、各センサからの情報に基づいて監視状況を把握する監視コントローラがある（例えば非特許文献１）。
【０００３】
この監視コントローラは、センササーバがシステムを統括管理し、センササーバに接続された認証キーソケットによって監視の開始と終了を制御可能で、Ｉ／Ｏとしての接点ユニットを介してセンササーバに接続された複数のセンサにより接点、温度、湿度等の監視ができる。
【非特許文献１】センサーサーバ、[online]、三洋通信エンジニアリング株式会社、[平成１７年４月１３日検索]、インターネット〈ＵＲＬ：http://www.sanyo-ste.co.jp/sensorserver.html〉
【発明の開示】
【発明が解決しようとする課題】
【０００４】
しかし、従来の監視コントローラによると、認証キーソケットおよび接点ユニットが故障、もしくは各部間の接続線が断線した場合、認証キーソケットを使用するまでは異常が起きていることを検知することができないという問題がある。また、接点ユニットに接続された各センサはＯＮ状態とＯＦＦ状態のみ監視されているため、センサが故障した場合、故障状態とＯＦＦ状態との判別ができないという問題がある。
【０００５】
従って、本発明の目的は、断線および故障を自己診断できる監視コントローラ、および故障自己診断方法を提供することにある。
【課題を解決するための手段】
【０００６】
（１）本発明は上記目的を達成するため、監視状態に関する認証をする認証部と、前記認証部の応答を確認するためのコマンドを送信するコマンド送信部と、前記応答に従って外部へメッセージを送信する送信部とを含むセンササーバとを有することを特徴とする監視コントローラを提供する。
【０００７】
このような構成によれば、定期的に認証部にコマンドを送信して応答を確認しているため、認証部の状態を常に監視することが可能になる。
【０００８】
（２）また、本発明は上記目的を達成するため、監視状態に関する認証をする認証部と、前記認証部の応答を確認するためのコマンドを送信するコマンド送信部と、前記応答が異常である場合に外部へメッセージを送信する送信部とを含むセンササーバとを有することを特徴とする監視コントローラを提供する。
【０００９】
このような構成によれば、コマンドに対する応答が異常である場合に外部にメッセージを送信するため、認証部の異常を迅速に発見することが可能となる。
【００１０】
（３）また、本発明は上記目的を達成するため、同一対象に設置された複数のセンサと、前記複数のセンサから送信される信号を受信して状態を表示するＩ／Ｏ部と、前記Ｉ／Ｏ部より前記複数のセンサの状態を受信し、前記複数のセンサの状態同士の相違に基づいて外部へメッセージを送信する送信部とを含むセンササーバとを有することを特徴とする監視コントローラを提供する。
【００１１】
このような構成によれば、同一対象に複数のセンサを配置し、センサ同士の状態一致を常に確認可能なため、それぞれのセンサの故障、および断線が生じていることを確認可能になる。
【００１２】
（４）また、本発明は上記目的を達成するため、センササーバが認証部にコマンドを送信する第１の工程と、前記コマンドに対する応答がない場合、予め定められた回数再試行する第２の工程と、前記再試行後に応答がない場合、外部へメッセージを送信する第３の工程とを有することを特徴とする故障自己診断方法を提供する。
【００１３】
このような方法によれば、定期的に認証部に対しコマンドを送信しているため、確実な故障診断が可能になる。
【００１４】
（５）また、本発明は上記目的を達成するため、Ｉ／Ｏ部が、同一対象に設置された複数のセンサから信号を受信する第１の工程と、前記Ｉ／Ｏ部が、前記信号より前記複数のセンサの状態を把握する第２の工程と、センササーバが、前記Ｉ／Ｏ部から信号を受信し、前記複数のセンサの状態間の相違を判断する第３の工程と、前記センササーバが、前記相違に基づいて外部にメッセージを送信する第４の工程とを有することを特徴とする故障自己診断方法を提供する。
【００１５】
このような方法によれば、同一対象に複数のセンサを設置したため、セキュリティ性が向上するだけでなく、センサ間の矛盾を確認することでセンサの故障診断、および断線検出が可能となる。
【発明の効果】
【００１６】
本発明によれば、断線および故障に対する自己診断が可能となる。
【発明を実施するための最良の形態】
【００１７】
〔第１の実施の形態〕
以下に、本発明の監視コントローラの第１の実施の形態を図面を参考にして詳細に説明する。
【００１８】
（監視コントローラの構成）
図１は、本発明の第１の実施の形態に関する監視コントローラの構成を示す概略図である。
【００１９】
この監視コントローラ１は、内部にＣＰＵ（Ｃｅｎｔｒａｌ  Ｐｒｏｃｅｓｓｉｎｇ  Ｕｎｉｔ）等の制御部やＳＲＡＭ（Ｓｔａｔｉｃ  Ｒａｎｄｏｍ  Ａｃｃｅｓｓ  Ｍｅｍｏｒｙ）等の記憶媒体を有し外部との接続端子としてＬＡＮケーブル２０９が接続されたイーサネット（登録商標）端子２０４とＲＳ−２３２Ｃ端子２０７と入出力端子２００とを有するセンササーバ１０と、１〜４Ｃｈにより各センサのＯＮ／ＯＦＦ状態を判別して５〜８Ｃｈにより外部機器の電源ＯＮ／ＯＦＦを制御可能なＩ／Ｏ部としての接点ユニット１１と、音声ユニット付きの認証キーソケット１２と、ドアの開閉を検知する有線のドアセンサ１３と、ドアセンサ１４と、各無線センサの信号を受信する無線受信部１５と、ドアの開閉を検知する無線のドアセンサ１６と、ドアセンサ１７とを有する。
【００２０】
センササーバ１０、接点ユニット１１、および認証キーソケット１２はそれぞれ電力供給および信号送信が可能な１−ＷＩＲＥ２０１、および２０８にて接続されている。ドアセンサ１３、１４、１６、および１７が設置された設備は監視され、各センサからの信号は接点ユニット１１を介しセンササーバ１０に送信され、異常ログは内部の記憶装置に記録されて、ＬＡＮケーブル２０９を介して外部ネットワーク上の機器に情報送信が可能である。監視の実行、および解除は認証キーソケット１２に図示しない専用の認証キーを用いて照合することで変更可能である。
【００２１】
図２は、本発明の第１の実施の形態に関する監視コントローラの構成を示すブロック図である。
【００２２】
センササーバ１０は、信号入出力部２０と信号処理部３０とからなり、各部に共通して各信号回路を駆動する駆動回路３０１を含んだＣＰＵ等の電子部品からなる主制御部３００が設置される。
【００２３】
信号入出力部２０は、１−ＷＩＲＥ２０１により接点ユニット１１に接続される入出力端子２００と、イーサネット端子２０４と信号線２０３により接続されてイーサネット信号を処理するためのドライバ２０２と、ＲＳ−２３２Ｃ端子２０７と信号線２０６により接続されてＲＳ−２３２Ｃ信号を処理するためのＲＳ−２３２Ｃドライバ２０５とを有する。
【００２４】
信号処理部３０は、時刻信号を主制御部３００へ発信する時計回路３０２と、記憶部３１０を有する。記憶部３１０は、主制御部３００に接続され揮発性の記憶媒体であるＳＲＡＭ３１１と、ＳＲＡＭ３１１に接続され不揮発性の記憶媒体であるフラッシュメモリ３１２と、ＳＲＡＭ３１１に電力を供給する電源を監視する電源監視部３１３と、電力供給部４０からＳＲＡＭ３１１に電力供給されない場合に補助的に電力を供給するバックアップ電源３１４とから構成される。
【００２５】
接点ユニット１１は、Ｃｈ１からＣｈ８の８チャンネルからなる入出力部１１１を有する８ｃｈアドレススイッチ１１０を有し、各チャンネルからドアセンサ１３、１４、および無線受信部１５に接続されている。
【００２６】
電力供給部４０は、ＡＣ１００Ｖを供給するコンセントに接続されるための電源コネクタ４００と、入力されるＡＣ電源のノイズを除去するノイズフィルタ４０１と、ＡＣ１００Ｖの電源をＤＣ５Ｖに変換するスイッチング電源部４０２と、ＤＣ５ＶをＤＣ３．２Ｖに降圧するレギュレータ回路４０３と、ＤＣ３．２ＶをＤＣ１．８Ｖに降圧するレギュレータ回路４０４とを有する。
【００２７】
また、電力供給部４０は、ＤＣ１．８Ｖ、３．２Ｖ、５Ｖの３種類の電圧を出力できるため、監視コントローラ１の各部の定格電圧に適した電力を供給可能である。
【００２８】
図３は、本発明の第１の実施の形態に関するドアセンサの配置構成を示すブロック図である。
【００２９】
ドアセンサ１３、および無線のドアセンサ１６は、ドア２に設置され、ドアセンサ１３は有線にて、またドアセンサ１６は無線受信部１５を介して接点ユニット１１に接続される。接点ユニット１１は、１−ＷＩＲＥ２０１にてセンササーバ１０に接続される。
【００３０】
（第１の実施の形態の動作）
以下に、本発明の第１の実施の形態における監視コントローラの動作を図１から図３を参照しつつ説明する。
【００３１】
センササーバ１０は、１−ＷＩＲＥ２０１および２０８を介し認証キーソケット１２に対し定期的にコマンドを送信する。認証キーソケット１２は、コマンドを受信するとセンササーバ１０に対し応答信号を送信する。センササーバ１０は、応答信号を受信すると次回コマンド送信時まで通常通り動作する。
【００３２】
認証キーソケット１２が故障、もしくは１−ＷＩＲＥ２０８が断線していた場合等、センササーバ１０が応答信号を受信できない状態になると、センササーバ１０は、再びコマンドを送信する。予め設定された回数再試行しても応答信号を受信できない場合、センササーバ１０は、異常があることを表示するため、接点ユニット１１のＣｈ８を使用してＣｈ８のＬＥＤを点灯させる。また同時に、イーサネット端子２０４を介し図示しない外部メールサーバにコマンドを送信し、図示しない管理者のメール端末に認証キーソケット異常のメッセージを送信する。また、認証キーソケット１２の状態は外部からセンササーバ１０内のＷｅｂサーバにアクセスすることで確認可能である。
【００３３】
ドアセンサ１３、およびドアセンサ１６は、ドア２が開閉されることで、それぞれ開閉に基づいた信号を接点ユニット１１に送信する。接点ユニット１１は、受信信号をセンササーバ１０に送信し、センササーバ１０は受信信号に基づきドアセンサ１３とドアセンサ１６の状態を検証する。ドアセンサ１３とドアセンサ１６の状態が同一のものであると判断した場合、センササーバ１０は通常通りの監視処理を行う。
【００３４】
ドアセンサ１３とドアセンサ１６の状態が異なるものであると判断した場合、センササーバ１０はイーサネット端子２０４を介し図示しない外部メールサーバにコマンドを送信し、図示しない管理者のメール端末に異常のあるセンサが設置された場所を特定するためのＩＤ、故障した日時等を含むメッセージを送信する。また、センサが正常かどうかは外部からセンササーバ１０にアクセスすることで確認可能である。
【００３５】
（第１の実施の形態の効果）
上記した実施の形態によると、センササーバ１０が認証キーソケット１２にコマンドを送信して常に状態を把握し、異常をメッセージとして管理者に送信することにより、認証キーソケットの異常を迅速に発見することが可能となる。
【００３６】
また、上記した実施の形態によると、監視対象に２つのセンサを配してそれぞれの状態間の矛盾を検知することにより、センサの故障自己診断およびセンサから接点ユニット１１間の断線異常診断が可能となる。
【００３７】
また、有線のドアセンサ１３と無線のドアセンサ１６とを組み合わせて使用したことにより、外部からのノイズによる混信や電池切れ等で無線のドアセンサ１６が機能しない場合に有線のドアセンサ１３を用いることで監視が可能となる。また、断線等で有線のドアセンサ１３が機能しない場合に無線のドアセンサ１６を用いることで監視が可能となる。
【００３８】
なお、ドアセンサに限らず、温湿度センサ等の状態変化を察知するセンサに対して同様の故障自己診断方法を適用してもよく、特にセンサの種類を限定しない。
【００３９】
なお、センサは２つに限定せず複数設置してもよい。
【００４０】
〔第２の実施の形態〕
（第２の実施の形態の構成）
図４は、本発明の第２の実施の形態に関するドアセンサの配置構成を示すブロック図である。なお、以下の説明において、第１の実施の形態と同一の構成および機能を有する部分については共通の符号を付している。
【００４１】
無線のドアセンサ１６、およびドアセンサ１７は、ドア２に設置され、無線受信部１５を介して接点ユニット１１に接続される。接点ユニット１１は、１−ＷＩＲＥ２０１にてセンササーバ１０に接続される。
【００４２】
（第２の実施の形態の動作）
以下に、本発明の第２の実施の形態における監視コントローラの動作を図４および各図を参照しつつ説明する。
【００４３】
ドアセンサ１６、およびドアセンサ１７は、それぞれドア２の開閉に基づいた信号を接点ユニット１１に送信する。接点ユニット１１は、受信信号をセンササーバ１０に送信し、センササーバ１０は受信信号に基づきドアセンサ１６とドアセンサ１７の状態を検証する。
【００４４】
（第２の実施の形態の効果）
上記した実施の形態によると、監視対象に２つのセンサを配してそれぞれの状態間の矛盾を検知することにより、センサの故障自己診断が可能となる。
【００４５】
また、無線のセンサユニットを２つ配することにより、一方の電池切れに対して、他方によるバックアップが可能となる。
【００４６】
〔第３の実施の形態〕
（第３の実施の形態の構成）
図５は、本発明の第３の実施の形態に関するドアセンサの配置構成を示すブロック図である。
【００４７】
ドアセンサ１３、およびドアセンサ１４は、ドア２に設置され接点ユニット１１に接続される。接点ユニット１１は、１−ＷＩＲＥ２０１にてセンササーバ１０に接続される。
【００４８】
（第３の実施の形態の動作）
以下に、本発明の第３の実施の形態における監視コントローラの動作を図５および各図を参照しつつ説明する。
【００４９】
ドアセンサ１３、およびドアセンサ１４は、それぞれドア２の開閉に基づいた信号を接点ユニット１１に送信する。接点ユニット１１は、受信信号をセンササーバ１０に送信し、センササーバ１０は受信信号に基づきドアセンサ１６とドアセンサ１７の状態を検証する。
【００５０】
（第３の実施の形態の効果）
上記した実施の形態によると、監視対象に２つのセンサを配してそれぞれの状態間の矛盾を検知することにより、センサの故障自己診断およびセンサから接点ユニット１１間の断線異常診断が可能となる。
【００５１】
また、有線のセンサユニットを２つ配することにより、外部からのノイズによる混信や電池切れ等のトラブルを避けることができる。
【図面の簡単な説明】
【００５２】
【図１】本発明の第１の実施の形態に関する監視コントローラの構成を示す概略図である。
【図２】本発明の第１の実施の形態に関する監視コントローラの構成を示すブロック図である。
【図３】本発明の第１の実施の形態に関するドアセンサの配置構成を示すブロック図である。
【図４】本発明の第２の実施の形態に関するドアセンサの配置構成を示すブロック図である。
【図５】本発明の第３の実施の形態に関するドアセンサの配置構成を示すブロック図である。
【符号の説明】
【００５３】
１…監視コントローラ、２…ドア、１０…センササーバ、１１…接点ユニット、１２…認証キーソケット、１３…ドアセンサ、１４…ドアセンサ、１５…無線受信部、１６…ドアセンサ、１７…ドアセンサ、２０…信号入出力部、３０…信号処理部、４０…電力供給部、１１０…アドレススイッチ、１１１…入出力部、２００…入出力端子、２０１…１−ＷＩＲＥ、２０２…ドライバ、２０３…信号線、２０４…イーサネット端子、２０５…ＲＳ−２３２Ｃドライバ、２０６…信号線、２０７…ＲＳ−２３２Ｃ端子、２０８…１−ＷＩＲＥ、２０９…ＬＡＮケーブル、３００…主制御部、３０１…駆動回路、３０２…時計回路、３１０…記憶部、３１２…フラッシュメモリ、３１３…電源監視部、３１４…バックアップ電源、４００…電源コネクタ、４０１…ノイズフィルタ、４０２…スイッチング電源部、４０３…レギュレータ回路、４０４…レギュレータ回路
【図１】
2007286786.tif 000003
【図２】
2007286786.tif 000004
【図３】
2007286786.tif 000005
【図４】
2007286786.tif 000006
【図５】
2007286786.tif 000007